(57)【特許請求の範囲】
【請求項１】
梁上にデッキプレートの端部を載せた状態でデッキプレートを梁のフランジに繋止するためのデッキプレート繋止具であって、
折り返し部を介して連続する互いに平行な上片と下片とを有し前記上片と下片との間に前記デッキプレートの基板の端部が入り込む隙間を有する挟み片と、前記フランジの下面に係止させる係止片と、前記挟み片と前記係止片とを繋ぐ繋ぎ片とが、バネ性又は形状記憶性を有するひと続きの鋼材により形成されてなり、前記挟み片は、前記隙間に入り込んだ前記基板の端部をバネ性または形状記憶性に基づく復元力によって前記上片と前記下片とで上下から挟み付けるデッキプレート繋止具。
【請求項２】
前記鋼材は、鋼製の板材または線材である請求項１に記載のデッキプレート繋止具。
【請求項３】
前記挟み片の解放された端部と前記係止片の解放された端部とが逆方向を向くように、全体がＳ字形状又はＳ字の反転形状に形成されている請求項１に記載のデッキプレート繋止具。
【請求項４】
前記挟み片は、円弧状をなす折り返し部を介して上下各片が連続する請求項１に記載のデッキプレート繋止具。
【請求項５】
前記繋ぎ片は、前記挟み片に対して直角をなし、前記係止片は、繋ぎ片に対して鋭角をなす請求項１に記載のデッキプレート繋止具。
【請求項６】
平行な梁上にデッキプレートの各端部を載せた状態でデッキプレートを各梁のフランジに繋止するための第１、第２のデッキプレート繋止具よりなり、前記第１、第２の各デッキプレート繋止具は、折り返し部を介して連続する互いに平行な上片と下片とを有し前記上片と下片との間に前記デッキプレートの基板の端部が入り込む隙間を有する挟み片と、前記フランジの下面に係止させる係止片と、前記挟み片と前記係止片とを繋ぐ繋ぎ片とが、バネ性又は形状記憶性を有するひと続きの鋼材により形成されてなり、前記挟み片は、前記隙間に入り込んだ前記基板の端部をバネ性または形状記憶性に基づく復元力によって前記上片と前記下片とで上下から挟み付けるデッキプレート繋止装置。  
【請求項７】
前記第１のデッキプレート繋止具は、前記挟み片の上下各片がほぼ同じ長さであり、前記係止片は前記挟み片の上下各片とほぼ同じ長さであるか、又はそれ以下の長さであり、
前記第２のデッキプレート繋止具は、前記挟み片の上下各片がほぼ同じ長さであり、前記係止片は前記挟み片の上下各片のぼほ半分の長さであるか、又はそれ以下の長さである請求項６に記載のデッキプレート繋止装置。
【請求項８】
前記第１のデッキプレート繋止具は、前記挟み片の上下各片がほぼ同じ長さであり、前記係止片は前記挟み片の上下各片とほぼ同じ長さであるか、又はそれ以下の長さであり、
前記第２のデッキプレート繋止具は、前記挟み片の下片が上片の長さのほぼ２倍の長さであり、前記係止片は前記挟み片の下片の長さとほぼ同じ長さである請求項６に記載のデッキプレート繋止装置。
【請求項９】
請求項７に記載のデッキプレート繋止装置が、前記第１のデッキプレート繋止具の挟み片が基板の一方の端部を挟み付け、前記第２のデッキプレート繋止具の挟み片が基板の他方の端部を挟み付けた状態で、装着されてなるデッキプレート。
【請求項１０】
請求項８に記載のデッキプレート繋止装置の、前記第１のデッキプレート繋止具の挟み片が、基板の一方の端部を挟み付けた状態で装着されてなるデッキプレート。
【請求項１１】
請求項９に記載のデッキプレートを複数製作する準備工程と、前記デッキプレートを平行な梁上に設置して各デッキプレートを梁に繋止する設置工程とからなり、
前記設置工程は、前記デッキプレートの一方の端部に装着された前記第１のデッキプレート繋止具の係止片を一方の梁のフランジの下面に係止させた状態で前記デッキプレートを平行な梁の各フランジ上に載せる工程と、前記デッキプレートの他方の端部に装着された前記第２のデッキプレート繋止具を他方の梁に向けて移動させて第２のデッキプレート繋止具の係止片を前記梁のフランジの下面に係止させる工程とを順次実施するデッキプレート敷設方法。
【請求項１２】
請求項１０に記載のデッキプレートを複数製作する準備工程と、前記デッキプレートを平行な梁上に設置して各デッキプレートを梁に繋止する設置工程とからなり、
前記設置工程は、前記第２のデッキプレート繋止具の係止片を一方の梁のフランジの下面に係止させた状態で第２のデッキプレート繋止具を前記フランジに装着する工程と、前記デッキプレートの一方の端部に装着された前記第１のデッキプレート繋止具の係止片を他方の梁のフランジの下面に係止させた状態で前記デッキプレートを平行な梁の各フランジ上に載せる工程と、前記第２のデッキプレート繋止具を前記デッキプレートに向けて移動させて第２のデッキプレート繋止具の挟み片の上片、下片間の隙間にデッキプレートの基板の端部を進入させる工程とを順次実施するデッキプレート敷設方法。
【発明の詳細な説明】
【技術分野】
【０００１】
この発明は、梁上にデッキプレートの端部を載せた状態でデッキプレートを梁のフランジに繋止するのに用いられるデッキプレート繋止具およびデッキプレート繋止装置と、デッキプレート繋止具が装着されたデッキプレートと、デッキプレート繋止具を用いて平行な梁上にデッキプレートを敷設するためのデッキプレート敷設方法とに関する。
【背景技術】
【０００２】
従来、鉄骨造や鉄筋コンクリート造の建造物の床を施工するのに、デッキプレートを用いた工法が採用されている。この工法は、平行な梁上に複数枚のデッキプレートを並列に敷設し、デッキプレート上に配筋を施した後、デッキプレート上にコンクリートを打設して鉄筋コンクリート床構造体を構築するもの、或いは、デッキプレートの表面に、硬化後のコンクリートとデッキプレートの基板とが協働して床構造体を構成するための一体化機構を設けてデッキプレート合成床板構造体を構築するものである。
【０００３】
上記の床構築過程において、デッキプレート上での作業員の歩行や作業によってデッキプレートに水平方向の力が作用したり、風によりデッキプレートに上下方向の力が作用したりするため、当初の設置位置からデッキプレートが移動しないようにする必要があり、そのために、各デッキプレートの両端部を梁に固定するなどして、各デッキプレートを拘束している。デッキプレートの固定は、従来は仮付け溶接により行われており、デッキプレートの端部を梁のフランジ上に載せてデッキプレートを敷設した後、デッキプレートの端部をフランジにアークスポット溶接する。
【０００４】
デッキプレートには種々の態様のものがあり、例えば、合成床板デッキプレートやフラットデッキと呼ばれるデッキプレートでは、デッキプレートを構成する鋼板製の基板は、肉厚が比較的厚いこともあり、基板と梁のフランジとの間をアークスポット溶接することによりデッキプレートの端部を梁に固定していた。
【０００５】
また、鉄筋トラス付きのデッキプレートでは、基板の両端部に棒鋼をＬ字状に折り曲げて形成された端部材が取り付けてあり、梁のフランジ上に突出する端部材の水平部分と梁のフランジとの間をスポット溶接することにより、デッキプレートの端部を梁に固定している。
【０００６】
デッキプレートをアークスポット溶接により梁に固定すると、梁母材の鋼が急熱急冷により変質して脆性硬化するという問題を提起する一部の強い意見があるが、その意見に従って溶接時間をかけてビード長さを延ばし溶融金属量を増やすと、高所での溶接作業であるため、この溶接に伴う火の玉が落下して階下の作業員が火傷したり、可燃物に引火したり、隣家や公道へ火の粉が落下して第三者を火災や事故に巻き込んだりするおそれがある。
【０００７】
上記の問題を解消するため、溶接によらずにデッキプレートを梁に固定することができるデッキプレート固定具が提案された（例えば、特許文献１参照）。
特許文献１に記載のデッキプレート固定具は、デッキプレートの基板に形成した透孔に挿通される本体部を有し、本体部の上端部にねじ軸、下端部に鉤部がそれぞれ設けられたものである。デッキプレートを梁に固定するには、デッキプレートの端部を梁のフランジ上に載せた状態で、デッキプレート固定具の本体部をデッキプレートの基板の透孔に挿通した後、ねじ軸を下方へねじ送りして、ねじ軸の下端と鉤部との間でデッキプレートの端部と梁のフランジとを挟持する。
【先行技術文献】
【特許文献】
【０００８】
【特許文献１】特開昭６２−１４８７５０号公報
【発明の概要】
【発明が解決しようとする課題】
【０００９】
溶接やデッキプレート固定具によってデッキプレートを梁にしっかりと固定した場合、デッキプレートの基板に鉛直方向の外力が作用すると、基板は外力の方向に変形する。その変形は、単純梁形式で支持された各種デッキプレートが、その上面に１５０ｍｍの鉄筋コンクリートを標準的な機器材を用いて構築する際の作業荷重を加えた５００ｋｇｆ／ｍ２が積載された場合に想定されている変形量を参考にすれば、例えば３ｍの水平な基板が中央部で８ｍｍ程度のたわみが発生する。これを基準として想定すれば、例えば、風によってデッキプレートに鉛直上方に５００ｋｇｆ／ｍ２の荷重がかかった場合も同様であると考えられる。ただし、瞬間値は状況が異なるとしても、風は息をするもので、基本的には通常風は、上下方向に瞬時に変わることが多くの実例で明白である。この風でデッキプレートが上方へ変位したと仮定すると、基板の両端の固定点を弦の端部、中央部を弦に対応する弧の中央点とする円弧状の変形に近似できる。この弧の長さは弦の長さに対して、１．９×１０−３％程度長くなるため、板厚の薄い基板では、極小断面で固定された場合、この伸びに追従できず、基板は両端の固定点近傍で引き裂かれるように破断するおそれがある。
【００１０】
また、特許文献１に記載のデッキプレート固定具を用いた場合、ねじ軸の締め付けによってねじ軸の下端が基板に強く圧接されるので、基板に孔が開いたり傷が付いたりして基板が損傷するおそれがある。そのような傷のある基板に外力が作用すると、傷の部分から基板が破断するおそれがある。
【００１１】
さらに、基板にはデッキプレート固定具の本体部分を通すための透孔が穿設されるため、基板に欠損を生じさせることになり、基板とフランジとの接触部の近傍に作用するコンクリートの荷重や自重、およびデッキプレート上でのコンクリートの打設作業などで発生する鉛直下方応力に対して、強度低下を招く結果となる。しかし、荷重による剪断応力が最大となる部分はこの位置であり、この部分に欠損を生じさせるのは仮設力学上避けるのが望ましい。
【００１２】
この発明は、上記の課題に着目してなされたもので、デッキプレートの端部をしっかりと固定せずに緩く繋止することにより、板厚の薄い基板であっても、外力を受けて破断するおそれがなく、しかも、基板に穿孔する必要がない軽量かつ構成が簡易なデッキプレート繋止具およびデッキプレート繋止装置と、そのデッキプレート繋止具およびデッキプレート繋止装置を用いたデッキプレート敷設方法とを提供することを目的とする。
【００１３】
また、この発明は、デッキプレートとして、デッキプレート繋止具が予め装着された形態のものを用いることにより、現場でのデッキプレートの敷設作業の安全性や作業効率を高めることも目的とする。
【課題を解決するための手段】
【００１４】
この発明によるデッキプレート繋止具は、梁上にデッキプレートの端部を載せた状態でデッキプレートを梁のフランジに繋止するためのものであり、折り返し部を介して連続する互いに平行な上片と下片を有し前記上片と下片との間に前記デッキプレートの基板の端部が入り込む隙間を有する挟み片と、前記フランジの下面に係止させる係止片と、前記挟み片と前記係止片とを繋ぐ繋ぎ片とが、バネ性又は形状記憶性を有するひと続きの鋼材により形成されてなる。前記挟み片は、前記隙間に入り込んだ前記基板の端部を前記バネ性または形状記憶性に基づく復元力によって前記上片と前記下片とで上下から挟み付ける。
【００１５】
上記した構成のデッキプレート繋止具を用いて、梁のフランジ上にデッキプレートの端部を載せた状態でデッキプレートを梁のフランジに繋止するには、デッキプレート繋止具の挟み片の隙間にデッキプレートの基板の端部を挿入することで、基板は挟み片により上下から挟み付けられ、挟み片と基板との間に摩擦力が作用してデッキプレートは半固定状態となる。
一方、繋ぎ片がフランジの端部を回り込み、係止片がフランジの下面に係止される。これにより係止片とフランジとの間に摩擦力ないしは錨でいうところの把駐力（以下、単に「把駐力」という。）が作用してデッキプレート繋止具がフランジから脱落するのが阻止され、デッキプレート繋止具は梁に繋止される。なお、ここでの「把駐力」とは、係止片が動く寸前の抵抗力を意味し、しっかりとつかむ力と摩擦力との和からなるものと考えられる。
【００１６】
上記した構成によると、ねじ操作などを必要とせず、簡単な作業でデッキプレートを梁に繋止することができる。ここで、「繋止」とは、デッキプレートを梁のフランジに繋ぎ止めて拘束するとの意味であり、この場合、係止片はアンカーとしての把駐力を発揮するように機能する。
【００１７】
デッキプレートが梁に繋止されたとき、デッキプレートは拘束された状態にあるが、梁に完全に固定されていない。デッキプレートに外力が作用すると、デッキプレート繋止具は、小さな外力に対しては抵抗し、デッキプレートがずれたり変位したりする場合は緩やかに保持し、その変化を緩やかに阻止する。大きな外力に対しては、デッキプレートが水平方向へわずかに変位するのを許容するもので、デッキプレートの変形や破損が防止される。
【００１８】
上記した構成において、鋼材は、好ましくは鋼製の板材を用いるが、板材に限らず、線材を用いることも可能である。
【００１９】
デッキプレート繋止具は、好ましくは、挟み片の解放された端部と係止片の解放された端部とが逆方向を向くように、全体がＳ字形状又はＳ字の反転形状に形成されている。
【００２０】
好ましい実施形態においては、挟み片は円弧状をなす折り返し部を介して上下各片が連続する。この場合、折り返し部の曲げ角度および曲げ半径を材質の許す限り小さくし、可能な限りゼロに近い隙間間隔に設定することにより、挟み片の上下各片間に強大な摩擦力が生じる。
また、繋ぎ片は挟み片に対して直角をなし、係止片は繋ぎ片に対して鋭角をなすことにより、係止片を押し開いて梁のフランジの下面に係止させたとき、係止片は復元力によってフランジの下面に密接する。
【００２１】
この発明によるデッキプレート繋止装置は、平行な梁上にデッキプレートの各端部を載せた状態でデッキプレートを各梁のフランジに繋止するための第１、第２のデッキプレート繋止具よりなる。
第１、第２の各デッキプレート繋止具は、折り返し部を介して連続する互いに平行な上片と下片を有し前記上片と下片との間に前記デッキプレートの基板の端部が入り込む隙間を有する挟み片と、フランジの下面に係止させる係止片と、挟み片と係止片とを繋ぐ繋ぎ片とが、バネ性又は形状記憶性を有するひと続きの鋼材により形成されてなる。
前記挟み片は、隙間に入り込んだ基板の端部をバネ性または形状記憶性に基づく復元力によって上片と下片とで上下から挟み付ける。
【００２２】
デッキプレート繋止装置として種々の形態が考えられるが、第１の実施形態においては、第１のデッキプレート繋止具は、挟み片の上下各片がほぼ同じ長さであり、係止片は挟み片の上下各片とほぼ同じ長さであるか、又はそれ以下の長さであり、第２のデッキプレート繋止具は、挟み片の上下各片がほぼ同じ長さであり、係止片は挟み片の上下各片のぼほ半分の長さであるか、又はそれ以下の長さである。
【００２３】
デッキプレート繋止装置の第２の実施形態においては、第１のデッキプレート繋止具は、挟み片の上下各片がほぼ同じ長さであり、係止片は挟み片の上下各片とほぼ同じ長さであるか、又はそれ以下の長さであり、第２のデッキプレート繋止具は、挟み片の下片が上片の長さのほぼ２倍の長さであり、係止片は挟み片の下片の長さとほぼ同じ長さである。
なお、第１、第２の各実施形態において、第１のデッキプレート繋止具の挟み片の上下各片の長さは、デッキプレートの端部が梁のフランジ上に載置される長さ（後述する「乗せかけ長さ」）に一致させるのが望ましい。
【００２４】
この発明によるデッキプレートは、第１の実施形態にかかるデッキプレート繋止装置が、第１のデッキプレート繋止具の挟み片が基板の一方の端部を挟み付け、第２のデッキプレート繋止具の挟み片が基板の他方の端部を挟み付けた状態で、装着されたものである。
この発明による他のデッキプレートは、第２の実施形態にかかるデッキプレート繋止装置の、第１のデッキプレート繋止具の挟み片が、基板の一方の端部を挟み付けた状態で装着されたものである。
【００２５】
上記した第１の実施形態にかかる第１、第２のデッキプレート繋止具によると、第１、第２のデッキプレート繋止具が装着されたデッキプレートを平行な梁上に載せるとき、第２のデッキプレート繋止具の係止片が梁のフランジに干渉するのを防止できる。
また、デッキプレートの少なくとも一方の端部にデッキプレート繋止具を予め装着しておくことで、現場でのデッキプレートの敷設作業を安全かつ効率良く行える。
【００２６】
この発明によるデッキプレートの敷設方法は、第１の実施形態のデッキプレートを複数製作する準備工程と、デッキプレートを平行な梁上に設置して各デッキプレートを梁に繋止する設置工程とからなる。
設置工程は、デッキプレートの一方の端部に装着された第１のデッキプレート繋止具の係止片を一方の梁のフランジの下面に係止させた状態でデッキプレートを平行な梁の各フランジ上に載せる工程と、デッキプレートの他方の端部に装着された第２のデッキプレート繋止具を他方の梁に向けて移動させて第２のデッキプレート繋止具の係止片を梁のフランジの下面に係止させる工程とを順次実施するものである。
【００２７】
この発明による他のデッキプレートの敷設方法は、第２の実施形態のデッキプレートを複数製作する準備工程と、デッキプレートを平行な梁上に設置して各デッキプレートを梁に繋止する設置工程とからなる。
設置工程は、第２のデッキプレート繋止具の係止片を一方の梁のフランジの下面に係止させた状態で第２のデッキプレート繋止具をフランジに装着する工程と、デッキプレートの一方の端部に装着された第１のデッキプレート繋止具の係止片を他方の梁のフランジの下面に係止させた状態でデッキプレートを平行な梁の各フランジ上に載せる工程と、第２のデッキプレート繋止具をデッキプレートに向けて移動させて第２のデッキプレート繋止具の挟み片の上片、下片間の隙間にデッキプレートの基板の端部を進入させる工程とを順次実施するものである。
【発明の効果】
【００２８】
この発明によれば、デッキプレート繋止具はひと続きの鋼材により形成されているので、軽量かつ構成が簡易であるうえに、ねじの締付などの操作を必要とせずに簡単な作業でデッキプレートを梁に繋止することが可能であり、熟練を要さず、高所作業が容易である。また、デッキプレート繋止具は大量生産が可能であり、安価に提供できる。さらに、デッキプレートの基板の板厚が薄くても、外力を受けて基板が破断するおそれがない。しかも、基板に穿孔しないので、基板に欠損を生じさせず、強度低下を招くおそれがない。
【図面の簡単な説明】
【００２９】
【図１】平行する梁上に複数のデッキプレートが敷設されて繋止された状態を示す平面図である。
【図２】デッキプレートの両端部が第１、第２のデッキプレート繋止具により梁に繋止された状態を示す断面図である。
【図３】第１のデッキプレート繋止具を示す断面図である。
【図４】第２のデッキプレート繋止具を示す断面図である。
【図５】第１、第２のデッキプレート繋止具が予め装着されたデッキプレートを示す断面図である。
【図６】デッキプレート繋止具の他の実施例を示すもので、（Ａ）は中間成形品の展開図、（Ｂ）は斜視図、（Ｃ）は断面図である。
【図７】第１の実施形態のデッキプレート繋止装置が用いられたデッキプレートの敷設方法の手順を示す断面図である。
【図８】第２の実施形態のデッキプレート繋止装置が用いられたデッキプレートの敷設方法の手順を示す断面図である。
【発明を実施するための形態】
【００３０】
図１および図２は、平行な梁９，９上に複数のデッキプレート１が敷設された状態を示している。梁９は鉄骨梁であり、水平なフランジ９０を有している。各デッキプレート１は、両方の端部が各梁９のフランジ９０上に載せられて支持されている。デッキプレート１の端部が梁９のフランジ９０上に載置される長さｄ（以下、「乗せかけ長さｄ」という。）は、例えば３０〜５０ｍｍであり、デッキプレートの種類に応じて最適な値に定められる。
【００３１】
図示のデッキプレート１は、フラットデッキであり、鋼板製の基板１１の下面に複数条のリブ１０が形成されたものである。この実施例の基板１１は、ロールフォーミングにより全長にわたってリブ１０が形成された後、両端部にエンドクローズ加工が施されてリブ１０が平板化されており、これにより梁９のフランジ９０との間に隙間が生じないようにしている。図１には、リブ１０を実線および点線で表しているが、図２以降の各図ではリブ１０の図示は省略してある。  
なお、基板１１は、全長にわたるリブ１０を有する鋼板の両端部にフラットな鋼板を継ぎ足すなどして形成することも可能である。また、デッキプレート１は、フラットデッキに限らず、その他のデッキプレート、例えば、基板上に複数の鉄筋トラスが組み付けられてなる鉄筋トラス付きのデッキプレートなどであってもよい。
【００３２】
デッキプレート１は、一方の端部が第１のデッキプレート繋止具２１により梁９のフランジ９０上に繋ぎ止められ、他方の端部が第２のデッキプレート繋止具２２により梁９のフランジ９０上に繋ぎ止められている。第１、第２の各デッキプレート繋止具２１，２２は、一定の幅（例えば２５ｍｍ）、一定の厚み（例えば１．６ｍｍ）を有するひと続きの帯板材に曲げ加工を施して形成される。帯板材は、高炭素鋼、合金鋼、ステンレス鋼などであり、焼き入れ等の所定の処理を施すことによりバネ性又は形状記憶性が付与されている。デッキプレート１毎に、一方の端部中央付近に第１のデッキプレート繋止具２１が、他方の端部中央付近に第２のデッキプレート繋止具２２が、がそれぞれ１個づつ配設されている。なお、デッキプレート繋止具２２の設置個数は、安全性などを考慮して増設することもでき、例えば、デッキプレート１の端部毎にそれぞれ複数個（２個以上）づつ配設する。
【００３３】
第１、第２のデッキプレート繋止具２１，２２によりデッキプレート繋止装置２が構成されるもので、図２〜図７はデッキプレート繋止装置２の第１の実施形態を示し。図８は第２の実施形態を示す。第１の実施形態と第２の実施形態とは、後述するように、第２のデッキプレート繋止具２２の構成が相違するものである。
【００３４】
第１のデッキプレート繋止具２１は、図２および図３に示すように、同一幅で連続する挟み片３と繋ぎ片５と係止片４とを一連に備えたものである。挟み片３は、円弧状をなす折り返し部３０を介してフラットな形態の上片３１と下片３２とが連続している。上片３１と下片３２とは互いに平行であり、上片３１と下片３２との間にデッキプレート１の基板の端部が入り込む隙間Ｓを有する。
【００３５】
挟み片３の解放された端部３３は外開きに曲げられており、これによりデッキプレート１の基板１１の端部を隙間Ｓへ挿入するのが容易となっている。隙間Ｓは、挟み片３の折り返し部３０の曲げ角度および曲げ半径を材質の許す限り小さくすることにより、基板１１の端部が未挿入の状態では可能な限り小さな値（例えばゼロ）に設定されるのが望ましく、少なくとも、基板１１の板厚より小さい値に設定する。隙間Ｓにデッキプレート１の基板１１が挿入されると、隙間Ｓが押し広げられるが、挟み片３が有するバネ性または形状記憶性に基づく復元力によって上片３１および下片３２が元の位置に戻ろうとする。これの復元力によりデッキプレート１の基板１１の端部は上片３１と下片３２とで挟み付けられて上下各片と面接触して密接するもので、デッキプレート１の基板１１と挟み片３との間に大きな摩擦力が生じ、この摩擦力によってデッキプレート１の移動が阻止される。
【００３６】
挟み片３の上片３１には、上向きの突起部３４が屈曲形成されている。隙間Ｓへデッキプレート１の基板１１の端部を挿入する際や係止片４を梁９のフランジ９０の下面に係止させる際に、この突起部３４を工具により殴打することが可能である。
【００３７】
繋ぎ片５は、挟み片３と係止片４とを繋ぐものであり、梁９のフランジ９０の端部を回り込むことで、係止片４が梁９のフランジ９０の下面に係止される。係止片４の解放された端部４１は外開きの状態に曲げられており、これにより梁９のフランジ９０の端部が挟み片３の下片３２と係止片４との間へ入り込むのが可能となる。
【００３８】
繋ぎ片５は、下端が係止片４に、上端が挟み片３の下片３２に、それぞれ連続している。第１のデッキプレート繋止具２１は、挟み片３の解放された端部３３と係止片４の解放された端部４１とが逆方向を向くように、全体がＳ字形状に形成されている。
【００３９】
繋ぎ片５は、挟み片３の下片３２に対して直角をなし、係止片４は、梁９のフランジ９０に係止されていない状態では、繋ぎ片５に対して鋭角をなす（図３）。挟み片３の下片３２と繋ぎ片５との間、および繋ぎ片５と係止片４との間には、鋭角をなす折り返し部６，６０が介在している。折り返し部６，６０の角度は、例えば４５度前後に設定されるが、これに限られない。
【００４０】
係止片４は、先端側が挟み片３に次第に近づくように挟み片３の下片３２と平行をなす線（図中、一点鎖線で示す。）に対して適当な角度αを持たせてある。これにより、デッキプレート１の端部が進入していない状態では、挟み片３の下片３２と係止片４との間隔ｔの最小値が梁９のフランジ９０の厚みより十分に小さな値に設定される。
【００４１】
挟み片３の下片３２と係止片４との間に梁９のフランジ９０が進入するとき、間隔ｔが押し広げられるが、係止片４が復元力によって元に位置に戻ろうとすることにより、係止片４と挟み片３の下片３２との間でフランジ９０の端部が上下から挟み付けられ、下片３２および係止片４はフランジ９０の上下各面に面接触して密接する。これにより、挟み片３の下片３２の下面とフランジ９０の上面との間および係止片４の上面とフランジ９０の下面との間に大きな摩擦力が生じ、この摩擦力ないしは把駐力によって第１のデッキプレート繋止具２１が抜ける方向への移動が阻止される。
【００４２】
第２のデッキプレート繋止具２２は、図２および図４に示すように、同一幅の挟み片３と繋ぎ片５と係止片４とを一連に備えたものであり、全体がＳ字の反転形状に形成されている。なお、第２のデッキプレート繋止具２２の挟み片３および係止片４は、第１のデッキプレート繋止具２１の挟み片３および係止片４とは長さが相違するが、対応する構成については、ここでは、同一の符号を付することで説明を省略する。
【００４３】
第１のデッキプレート繋止具２１は、挟み片３の上片３１と下片３２とがほぼ同じ長さＬ（例えばＬ＝５０ｍｍ）であり、デッキプレート１の梁９への乗せかけ長さｄとほぼ一致させている。また、係止片４は、その長さ（例えば、真っ直ぐの状態での長さ）が挟み片３の上片３１および下片３２とほぼ同じ長さ（例えば５０ｍｍ）に設定されているが、これに限らず、それ以下の長さ（例えば４０ｍｍ）に設定してもよい。
【００４４】
第２のデッキプレート繋止具２２は、挟み片３の上片３１と下片３２とがほぼ同じ長さＬ′であり、第１のデッキプレート繋止具２１の上片３１および下片３２の長さＬ、すなわち、デッキプレート１の梁９への乗せかけ長さｄのほぼ２倍の長さ（例えば１００〜１１０ｍｍ）である。係止片４は、その長さ（例えば、真っ直ぐの状態での長さ）が挟み片３の上片３１および下片３２の長さのぼほ半分の長さ（例えば５０ｍｍ）に設定されているが、これに限らず、それ以下の長さ（例えば４０ｍｍ）に設定してもよい。
【００４５】
第１、第２の各デッキプレート繋止具２１，２２は、工場においてデッキプレート１の基板１１の両方の端部に予め装着される。
図５は、工場で製作されて現場に搬入されるデッキプレート１の態様を示している。デッキプレート１の一方の端部には、第１のデッキプレート繋止具２１の挟み片３が基板１１を挟み付けた状態で、第１のデッキプレート繋止具２１が装着されている。また、デッキプレート１の他方の端部には、第２のデッキプレート繋止具２２の挟み片３が基板１１を挟み付けた状態で、第２のデッキプレート繋止具２２が装着されている。
【００４６】
第２のデッキプレート繋止具２２の挟み片３の長さをデッキプレート１の乗せかけ長さのほぼ２倍とし、係止片４の長さを挟み片３の長さのほぼ半分の長さに設定したのは、図５に示す態様のデッキプレート１を平行な梁９上に両端部を載せるときに、第２のデッキプレート繋止具２２の係止片４が梁９のフランジ９０に干渉しないようにするためである（後述する図７（Ｂ）参照）。
【００４７】
上記した第１、第２の各デッキプレート繋止具２１，２２は、鋼製の板材を用いて製作されているが、これに限らず、鋼製の線材を用いて製作することも可能である。線材は、例えば直径が２〜３ｍｍ程度のものとし、線材の材質は、板材の材質と同様であり、バネ性または形状記憶性が得られるように熱処理等が施されている。
【００４８】
図６に、鋼製の線材を用いて製作される第１のデッキプレート繋止具２１を示している。なお、第２のデッキプレート繋止具２２も鋼製の線材を用いて同様に製作できるもので、ここでは図示並びに説明を省略する。この実施形態は、デッキプレート１のデッキプレート繋止具を装着する部分の肉厚が変化するような場合に、前記の実施形態のように面接触しないので、隙間を生じさせずに適応させることができる。
【００４９】
図６（Ａ）は、鋼製の線材を曲げ加工して得られた第１のデッキプレート繋止具２１の中間成形品の展開図であり、挟み片成形部Ｘと繋ぎ片成形部Ｙと係止片成形部Ｚとを一連に備えている。
挟み片成形部Ｘは、折り返し部３０を構成するリング部３０Ｘと、挟み片３の上片３１を構成する複数の第１線部３１Ｘと、挟み片３の下片３２を構成する第２線部３２Ｘとを備えており、隣合う第１線部３１ＸがＵ字状に連続している。
繋ぎ片成形部Ｙは、各第２線部３２Ｘを延長してなる複数の第３線部５Ｙを備えている。
係止片成形部Ｚは、各第３線部５Ｙを延長してなる複数の第４線部６Ｚを備えており、隣合う第４線部６ＺがＵ字状に連続している。
【００５０】
図６の中間成形品に対して、各リング状部３０Ｘを図中、矢印ｐで示す方向へ捻ることで、図６（Ｂ）および図６（Ｃ）に示すように、隙間ｓを介在させて平行する挟み片３の上片３１および下辺３２が形成され、図６（Ａ）中、一点鎖線ｈ，ｋで示す位置でそれぞれ直角に曲げることで、一連に連続する挟み片３、繋ぎ片５、および係止片４が形成される。
【００５１】
図７（Ａ）〜（Ｃ）は、上記した第１、第２の各デッキプレート繋止具２１，２２よりなるデッキプレート繋止装置２（第１の実施形態）が用いられたデッキプレート１の敷設方法の手順を示している。
まず、工場での準備工程において、図５に示すデッキプレート１、すなわち、基板１１の一方の端部に第１のデッキプレート繋止具２１、基板１１の他方の端部に第２のデッキプレート繋止具２２がそれぞれ装着されたデッキプレート１を複数製作する。
【００５２】
つぎの設置工程では、複数のデッキプレート１をトラックなどにより現場へ運び、クレーンにより目的階まで搬送した後、目的階において、二人の作業員がデッキプレート１の両端を持って平行な梁９の各フランジ９０上に設置し、デッキプレート１を梁９に繋止する。
【００５３】
まず、図７（Ａ）に示す工程では、デッキプレート１を斜めに傾け、デッキプレート１の一方の端部に装着された第１のデッキプレート繋止具２１の係止片３の先端部を一方の梁９のフランジ９０の端部に引っ掛ける。
次に、デッキプレート１をフランジ９０に向けて押し、係止片３をフランジ９０の下面に係止させた状態でデッキプレート１の一方の端部をフランジ９０上に載せる。さらに、図７（Ｂ）に示す工程では、デッキプレート１の他方の端部を降ろすことで、両方の端部が平行な梁９の各フランジ９０上に載置される。
【００５４】
次に、デッキプレート１の他方の端部に装着された第２のデッキプレート繋止具２２を他方の梁９に向けて移動させ、第２のデッキプレート繋止具２２の係止片３の先端部を梁９のフランジ９０の端部に引っ掛ける。
【００５５】
引き続き、図７（Ｃ）に示す工程において、第２のデッキプレート繋止具２２を梁９に向けて移動させ、係止片３をフランジ９０の下面に係止させる。この状態では、デッキプレート１の基板１１の端部は第２のデッキプレート繋止具２２の挟み片３より半ば抜けるが、半ば入り込んだ状態に維持されているので、デッキプレート繋止具２２によりデッキプレート１は梁９のフランジ９０に繋止される。
【００５６】
図８は、他の実施形態の第１、第２の各デッキプレート繋止具２１，２２よりなるデッキプレート繋止装置（第２の実施形態）が用いられたデッキプレート１の敷設方法の手順を示している。
この実施形態における第１のデッキプレート繋止具２１は、挟み片３の上下各片３１，３２がほぼ同じ長さ（例えば５０ｍｍ）であり、係止片４が挟み片３の上下各片３１，３２とほぼ同じ長さ（例えば５０ｍｍ）であるか、又はそれ以下の長さ（例えば４０ｍｍ）である。
第２のデッキプレート繋止具２２は、挟み片３の下片３２が上片３１の長さ（例えば５０ｍｍ）のほぼ２倍の長さ（例えば１００〜１１０ｍｍ）であり、係止片４が挟み片３の下片３２の長さとぼほ同じ長さ（例えば１００〜１１０ｍｍ）である。
【００５７】
まず、工場での準備工程において、一方の端部に第１のデッキプレート繋止具２１が装着されたデッキプレート１を複数製作する。この場合に第２のデッキプレート繋止具２２の方はデッキプレート１の他方の端部に装着しない。
【００５８】
つぎの設置工程では、第１のデッキプレート繋止具２１が装着されたデッキプレート１と第２のデッキプレート繋止具２２とをトラックで現場へ運び、クレーンにより目的階まで搬送する。目的階では、まず、第２のデッキプレート繋止具２２の係止片３を一方の梁９のフランジ９０の下面に係止させ、第２のデッキプレート繋止具２２をフランジ９０に装着する。
【００５９】
二人の作業員はデッキプレート１の両端を持って平行な梁９の各フランジ９０上に設置し、デッキプレート１を梁に繋止するもので、図８（Ａ）（Ｂ）（Ｃ）にその手順が示してある。
【００６０】
まず、図８（Ａ）に示す工程では、デッキプレート１を斜めに傾け、デッキプレート１の一方の端部に装着された第１のデッキプレート繋止具２１の係止片４の先端部を一方の梁９のフランジ９０の先端部に引っ掛ける。
次に、デッキプレート１をフランジ９０に向けて押し、係止片３をフランジ９０の下面に係止させた状態で、デッキプレート１の一方の端部をフランジ９０上に載せる。さらに、図８（Ｂ）に示す工程では、デッキプレート１の他方の端部を降ろすことで、両方の端部が平行な梁９の各フランジ９０上に載置される。
【００６１】
次に、梁９のフランジ９０に装着された第２のデッキプレート繋止具２２をデッキプレート１に向けて移動させ、図８（Ｃ）に示す工程において、第２のデッキプレート繋止具２２の挟み片３の上片３１，下片３２間の隙間ｓにデッキプレート１の基板１１の端部を進入させる。この状態では、梁９のフランジ９０は第２のデッキプレート繋止具２２の係止片４より半ば抜けるが、半ば係止された状態に維持されているので、デッキプレート繋止具２２によりデッキプレート１は梁９のフランジ９０に繋止される。
【００６２】
デッキプレート繋止具２１，２２の挟み片３の隙間ｓにデッキプレート１の基板１１の端部が挿入された状態では、基板１１は挟み片３により上下から挟み付けられ、挟み片３と基板１１との間に摩擦力が作用してデッキプレート１は半固定状態となる。この場合、折り返し部３０の曲げ角度および曲げ半径を材質の許す限り小さくし、可能な限りゼロに近い隙間間隔に設定することにより、挟み片３の上下各片３１，３２間に強大な摩擦力が生じる。
【００６３】
一方、繋ぎ片５がフランジ９０の端部を回り込まみ、係止片４がフランジ９０の下面に係止される。これにより係止片４とフランジ９０との間に摩擦力ないしは把駐力が作用してデッキプレート繋止具２１，２２がフランジ９０から脱落するのが阻止され、デッキプレート繋止具２１，２２は梁９に繋止される。
【００６４】
デッキプレート１が梁９に繋止されたとき、デッキプレート１は梁９上で拘束された状態にあるが、梁９のフランジ９０に完全に固定されていない。デッキプレート１に外力が作用したときに、デッキプレート繋止具２１，２２は、小さな外力に対しては抵抗し、デッキプレート１がずれたり変位したりする場合は緩やかに保持し、その変化を緩やかに阻止する。大きな外力に対しては、デッキプレート１が水平方向へわずかに変位するのを許容するもので、デッキプレート１の変形や破損が防止される。
【符号の説明】
【００６５】
１    デッキプレート
２    デッキプレート繋止装置
３    挟み片
４    係止片
５    繋ぎ片
１１  基板  
２１  第１のデッキプレート繋止具
２２  第２のデッキプレート繋止具
３０  折り返し部
３１  上片
３２  下片
【要約】
【課題】デッキプレートの端部をしっかりと固定せずに緩く繋止することにより、板厚の薄い基板であっても、外力を受けて破断するおそれがなく、しかも、基板に穿孔する必要がない軽量かつ構成が簡易なデッキプレート繋止具およびデッキプレート繋止装置を提供する。
【解決手段】デッキプレート繋止具２１，２２は、梁９のフランジ９０上にデッキプレート１の端部を載せた状態でデッキプレート１を梁９のフランジ９０に繋止するためのものであって、デッキプレート１の端部が入り込む隙間を有し隙間に挿入されたデッキプレート１の端部を上下から挟み付ける挟み片３と、フランジ９０の下面に係止させる係止片４と、挟み片３と係止片４とを繋ぐ繋ぎ片５とが、ひと続きの鋼材により形成されている。
【選択図】図２【図１】
0006710422.tif 000002
【図２】
0006710422.tif 000003
【図３】
0006710422.tif 000004
【図４】
0006710422.tif 000005
【図５】
0006710422.tif 000006
【図６】
0006710422.tif 000007
【図７】
0006710422.tif 000008
【図８】
0006710422.tif 000009